(57)【要約】【課題】分散型電源用ブレーカへの分散型電源の接続を容易にでき、分散型電源用ブレーカに無理な力が加わるのを低減できる分電盤を提供する。【解決手段】分電盤10は、導電バー12、分岐ブレーカ13、分散型電源用ブレーカ14および接続ユニット15を備える。分岐ブレーカ13は、導電バー12にプラグイン接続する。分散型電源用ブレーカ14は、導電バー12にプラグイン接続可能なバー接続部、および分散型電源が接続される電線接続部を有し、導電バー12および分岐ブレーカ13の側部に配設する。接続ユニット15は、導電バー12と分散型電源用ブレーカ14のバー接続部とを電気的に接続する。【選択図】図１
2015186357.tif 000002
【特許請求の範囲】
【請求項１】
導電バーと；
この導電バーに差込み接続される分岐ブレーカと；
前記導電バーに差込み接続可能な第１の接続部、および分散型電源が接続される第２の接続部を有し、前記導電バーおよび前記分岐ブレーカの側部に配設される分散型電源用ブレーカと；
前記導電バーと前記分散型電源用ブレーカの前記第１の接続部とを電気的に接続する接続ユニットと；
を具備することを特徴とする分電盤。
【請求項２】
前記接続ユニットは、前記導電バーに差込み接続される端子、および前記端子に電気的に接続されるとともに前記分散型電源用ブレーカの前記第１の接続部に差込み接続される接続バーを備える
ことを特徴とする請求項１記載の分電盤。
【請求項３】
前記接続ユニットは、前記導電バーに差込み接続される端子を有するとともに前記端子に電気的に接続されて外部に導出された電線を有する接続ユニット本体、および前記分散型電源用ブレーカの前記第１の接続部に差込み接続されるとともに前記電線が電気的に接続される中継端子台を備える
ことを特徴とする請求項１記載の分電盤。
【請求項４】
前記分散型電源が接続されるねじ式端子を有し、前記分散型電源用ブレーカの前記第２の接続部に電気的に接続される分散型電源用端子台を具備している
ことを特徴とする請求項１ないし３いずれか一記載の分電盤。
【発明の詳細な説明】
【技術分野】
【０００１】
本発明の実施形態は、分散型電源に対応した分電盤に関する。
【背景技術】
【０００２】
一般家庭に、太陽光発電、燃料電池発電およびガス発電等の分散型電源の導入が増えつつある。
【０００３】
分電盤は、分電盤内に導電バーおよびこの導電バーに差込み接続（以降、プラグイン接続という）される分岐ブレーカ等が設置され、分岐ブレーカに負荷が電気的に接続されるように構成されている。そして、分散型電源に対応した分電盤では、分電盤内に分散型電源用ブレーカが設置され、分散型電源用ブレーカを介して分散型電源と導電バーとが電気的に接続されるように構成されている。
【０００４】
分散型電源用ブレーカは、分岐ブレーカの幅方向に並べて導電バーにプラグイン接続する場合がある。この場合、分散型電源用ブレーカの幅方向の寸法が大きいと、分電盤が大形化してしまうため、分散型電源用ブレーカの幅方向の寸法は小さいことが好ましい。
【０００５】
また、分散型電源と分散型電源用ブレーカとは電線によって電気的に接続されるが、発電容量や、配線距離に応じた電圧降下を考慮して、分岐ブレーカ等に接続される電線よりも太い電源を用いることが推奨されている。
【先行技術文献】
【特許文献】
【０００６】
【特許文献１】特開２００７−３００７０３号公報
【発明の概要】
【発明が解決しようとする課題】
【０００７】
しかしながら、分散型電源用ブレーカを導電バーにプラグイン接続して配設すると、分電盤の筐体と分散型電源用ブレーカとの間の配線スペースが比較的狭いため、分散型電源からの電線が太い場合には、分電盤内に引き込んだ電線を狭い配線スペースで無理に曲げて分散型電源用ブレーカに接続しなければならない。そのため、分散型電源用ブレーカへの電線の接続がしにくく、電線を接続しても分散型電源用ブレーカの端子等に無理な力が加わって電気的な接続の信頼性が低下する問題がある。
【０００８】
本発明が解決しようとする課題は、分散型電源用ブレーカへの分散型電源の接続を容易にでき、分散型電源用ブレーカに無理な力が加わるのを低減できる分電盤を提供することである。
【課題を解決するための手段】
【０００９】
実施形態の分電盤は、導電バー、分岐ブレーカ、分散型電源用ブレーカおよび接続ユニットを備える。分岐ブレーカは、導電バーに差込み接続する。分散型電源用ブレーカは、導電バーに差込み接続可能な第１の接続部、および分散型電源が接続される第２の接続部を有し、導電バーおよび分岐ブレーカの側部に配設する。接続ユニットは、導電バーと分散型電源用ブレーカの第１の接続部とを電気的に接続する。
【発明の効果】
【００１０】
本発明によれば、分散型電源用ブレーカへの分散型電源の接続を容易にし、分散型電源用ブレーカに無理な力が加わるのを低減することが期待できる。
【図面の簡単な説明】
【００１１】
【図１】第１の実施形態を示す分電盤の内部構造の斜視図である。
【図２】同上分電盤の分散型電源用ブレーカおよび接続ユニットの斜視図である。
【図３】同上分電盤の斜視図である。
【図４】第２の実施形態を示す分電盤の内部構造の斜視図である。
【図５】同上分電盤の接続ユニットの斜視図である。
【図６】同上接続ユニットの分解状態の斜視図である。
【図７】同上分電盤の中継端子台の斜視図である。
【図８】同上分電盤の分散型電源用端子台の斜視図である。
【図９】第３の実施形態を示す分電盤の内部構造の斜視図である。
【発明を実施するための形態】
【００１２】
以下、第１の実施形態を、図１ないし図３を参照して説明する。
【００１３】
図３に分電盤10を示す。なお、図３では分電盤10の一部（筐体の両側および分岐ブレーカの一部）を省略して図示している。
【００１４】
分電盤10は、太陽光発電、燃料電池発電およびガス発電等の分散型電源の供給に対応している。分散型電源からは例えばパワーコンディショナーで単相３線式の交流電源に変換されて供給される。分散型電源と分電盤10との接続には、発電容量や配線距離に応じた電圧降下を考慮した送電容量の太さで中性極用および一対の電圧極用の３本の電線が用いられる。
【００１５】
図１および図３に示すように、分電盤10は、壁面等に設置される筐体11を有している。筐体11内には、左側に図示しない主幹ブレーカが配設され、中央に複数の導電バー12、複数の分岐ブレーカ13（一部の分岐ブレーカ13のみ示す）、分散型電源用ブレーカ（連系ブレーカ）14および接続ユニット15等が配設され、右側に例えば計測ユニット等が配設される。複数の導電バー12および複数の分岐ブレーカ13は、取付板16上に一体的に組み付けられ、この取付板16によって筐体11に取り付けられている。分散型電源用ブレーカ14は、筐体11に取り付けられる取付板17に取り付けられている。
【００１６】
そして、筐体11は、壁面に設置される分電盤本体20、およびこの分電盤本体20の前面に着脱可能に取り付けられる前面カバー21を備えている。分電盤本体20は、背面部22、この背面部22の上下および左右から前方にそれぞれ突出する縁部23を有している。背面部22には、負荷や分散型電源と分電盤10とを接続する電線を、壁内から分電盤10内に引き込むための複数の開口部24が形成されている。前面カバー21には、分岐ブレーカ13が配置される窓部25、および分散型電源用ブレーカ14が配置される窓部26がそれぞれ開口形成されている。
【００１７】
また、図１に示すように、導電バー12は、主幹ブレーカと複数の分岐ブレーカ13とを電気的に接続するもので、単相３線式の交流電源を供給可能とするために中性極用および一対の電圧極用の３つの導電バー12が用いられている。これら３つの導電バー12は、分電盤10の前面から見て前後方向に重なるとともに分電盤10の左右方向に沿って水平に配置されている。
【００１８】
また、複数の分岐ブレーカ13は、導電バー12を中心として上下の各段に配置されているとともに、各段毎に左右方向に沿って並設されている。これら分岐ブレーカ13は、導電バー12の上下に互いに向きを反対向きとして取付板16に取り付けられているとともに、導電バー12に差込み接続（以下、プラグイン接続という）によって電気的に接続されている。
【００１９】
分岐ブレーカ13は、ケース30、このケース30内に配置された図示しない回路遮断ユニットを備えている。
【００２０】
ケース30は、絶縁性を有する合成樹脂により、ケース30の前面から見て横幅が狭く縦方向に細長い形状に形成されている。ケース30の前面側には回路遮断ユニットを手動操作するためのブレーカハンドル31が配置され、ケース30の前面側から見て長手方向の一端側には導電バー12にプラグイン接続されるバー接続部32が形成されているとともに他端側には負荷側からの一対の電線を接続する電線接続部33が形成されている。ケース30の長手方向の両端には、取付板16に取り付けるための取付部34が設けられている。
【００２１】
バー接続部32は、各導電バー12が差し込まれる３つの溝35が形成されているとともに、３つの溝35のうちの２つには導電バー12と電気的に接続される図示しない刃受形状の端子が配置されている。そして、分岐ブレーカ13に接続する負荷側が１００Ｖ仕様の場合と２００Ｖ仕様の場合とに応じて、端子が配置される溝35が異なっているか切り換えられるように構成されている。
【００２２】
電線接続部33は、負荷側からの一対の電線を差し込む一対の差込孔36を有している。これら差込孔36内には差し込まれた電線に電気接続状態で抜け止めする図示しない鎖錠端子が配設されている。そして、分岐ブレーカ13の一対の差込孔36は、導電バー12に対して反対側であって、分電盤本体20の上下の縁部23に向けられている。
【００２３】
回路遮断ユニットは、バー接続部32の端子と電線接続部33の鎖錠端子との間の接続回路を開閉可能とするもので、ブレーカハンドル31の操作に応じて接続回路を開閉するとともに、接続回路の閉成状態で設定値以上の過電流が流れたときに接続回路を自動的に開成するように構成されている。
【００２４】
また、分散型電源用ブレーカ14は、導電バー12の側部で、筐体11の上下方向の中間部、好ましくは中央部に配置されている。図２に示すように、分散型電源用ブレーカ14は、第１の分散型電源用ブレーカ14aおよび第２の分散型電源用ブレーカ14bの２個を備えている。これら分散型電源用ブレーカ14a，14bは、分岐ブレーカ13と共通の構造および寸法に形成されている。なお、分散型電源用ブレーカ14a，14bの構造については、分岐ブレーカ13と同じ符号を用いて説明する。
【００２５】
分散型電源用ブレーカ14a，14bは、ケース30、このケース30内に配置された図示しない回路遮断ユニットを備えている。
【００２６】
ケース30は、絶縁性を有する合成樹脂製で、ケース30の前面から見て横幅が狭く縦方向に細長い形状に形成されている。ケース30の前面側には回路遮断ユニットを手動操作するためのブレーカハンドル31が配置され、ケース30の前面側から見て長手方向の一端側である上側には導電バー12にプラグイン接続される第１の接続部としてのバー接続部32が形成されているとともに他端側である下側には分散型電源からの電線を電気的に接続する第２の接続部としての電線接続部33が形成されている。ケース30の上下両端には、取付板17に取り付けるための取付部34が設けられている。なお、分散型電源用ブレーカ14a，14bのブレーカハンドル31は、図示しない連結部材によって互いに連結され、一体に動くよう構成されている。
【００２７】
バー接続部32は、各導電バー12が差し込まれる３つの溝35を有している。第１の分散型電源用ブレーカ14aの３つの溝35のうちの２つに、導電バー12と電気的に接続される刃受形状の端子がそれぞれ配置されている。第１の分散型電源用ブレーカ14aの端子がそれぞれ配置される２つの溝35とは異なる残りの１つの溝35の位置に該当する第２の分散型電源用ブレーカ14bの１つの溝35に、導電バー12と電気的に接続される端子が配置されている。そして、例えば、第１の分散型電源用ブレーカ14aの２つの各端子は中性極用の導電バー12および一対の電圧極用の導電バー12のうちの一方と電気的に接続され、第２の分散型電源用ブレーカ14bの１つの端子は一対の電圧極用の導電バー12のうちの他方と電気的に接続される。
【００２８】
電線接続部33は、分散型電源からの電線を差し込む一対の差込孔36を有している。第１の分散型電源用ブレーカ14aの一対の差込孔36内には差し込まれた電線に電気接続状態で抜け止めする鎖錠端子がそれぞれ配設されている。第２の分散型電源用ブレーカ14bの一方の差込孔36には差し込まれた電線に電気接続状態で抜け止めする鎖錠端子が配設されている。そして、第１の分散型電源用ブレーカ14aの２つの各鎖錠端子には中性極用の電線および一対の電圧極用の電線のうちの一方が接続され、第２の分散型電源用ブレーカ14bの１つの鎖錠端子には一対の電圧極用の電線のうちの他方が接続される。
【００２９】
回路遮断ユニットは、バー接続部32の端子と電線接続部33の鎖錠端子との間の接続回路を開閉可能とするもので、ブレーカハンドル31の操作に応じて接続回路を開閉するとともに、接続回路の閉成状態で設定値以上の過電流が流れたときに接続回路を自動的に開成するように構成されている。
【００３０】
また、接続ユニット15は、接続ユニット本体40、３つの端子41および３つの接続バー42を備えている。
【００３１】
接続ユニット本体40は、絶縁性を有する合成樹脂製で、分岐ブレーカ13と同じ幅寸法かつ略同じ外形状であって、前面から見て横幅が狭く縦方向に細長い形状に形成されている。接続ユニット15の前面側から見て長手方向の一端側には導電バー12にプラグイン接続されるバー接続部43が形成されている。接続ユニット本体40の長手方向の両端には、取付板16に取り付けるための取付部44が設けられている。
【００３２】
バー接続部43は、各導電バー12が差し込まれる３つの溝45を有している。３つの溝45には、導電バー12と電気的に接続される刃受形状の端子41がそれぞれ配置されている。
【００３３】
接続ユニット本体40の側部で長手方向の中間部には、接続バー42が配置されるカバー部46が突設されている。カバー部46は、各接続バー42が挿通する筒部47、およびバー接続部43側とは反対側で各接続バー42を覆う板部48を有し、板部48には各接続バー42を保持する保持溝49が形成されている。
【００３４】
各端子41と各接続バー42とは接続ユニット本体40内でそれぞれ電気的に接続されている。
【００３５】
各接続バー42は、カバー部46に保持され、分散型電源用ブレーカ14のバー接続部32にプラグイン接続される。すなわち、各接続バー42は、各溝35にそれぞれ差し込まれ、各端子41にそれぞれ電気的に接続される。
【００３６】
各接続バー42は、分散型電源用ブレーカ14のバー接続部32に接続される箇所、すなわち溝35に差し込まれる箇所のみがカバー部46から露出され、それ以外の箇所はカバー部46で覆われている。
【００３７】
そうして、このように構成された分電盤10では、分散型電源用ブレーカ14が、バー接続部32を上側および電線接続部33を下側とする向きとし、導電バー12の側部で筐体11の上下方向の中間部に設置されている。
【００３８】
分散型電源用ブレーカ14と導電バー12とが接続ユニット15によって電気的に接続されている。接続ユニット15では、接続ユニット本体40のバー接続部43が導電バー12にプラグイン接続されるとともに、接続バー42が分散型電源用ブレーカ14のバー接続部32にプラグイン接続され、接続ユニット本体40の取付部44が取付板16に取り付けられている。
【００３９】
そして、分電盤10の施工時においては、負荷側からの電線を、壁面に取り付けられる分電盤本体20の上下の開口部24から分電盤本体20内に引き込み、上下段の各分岐ブレーカ13の電線接続部33に差込み接続する。
【００４０】
また、分散型電源からの電線を、分電盤本体20の下側の開口部24から分電盤本体20内に引き込み、分散型電源用ブレーカ14の差込孔36に差込み接続する。
【００４１】
このとき、分散型電源用ブレーカ14の電線接続部33と分電盤本体20の下側の縁部23との間の間隔は、導電バー12にプラグイン接続された分岐ブレーカ13と分電盤本体20の下側の縁部23との間の間隔よりも広く、広い配線スペースが確保されている。そのため、分散型電源からの電線が太い場合であっても、下側の開口部24から分電盤本体20内に引き込まれた電線を、無理に曲げることなくスムーズに分散型電源用ブレーカ14の電線接続部33に接続することができる。
【００４２】
これにより、分散型電源用ブレーカ14への分散型電源からの電線の接続を容易にすることができる。しかも、その電線を無理に曲げることがないため、分散型電源用ブレーカ14に無理な力が加わるのを低減し、分散型電源用ブレーカ14に対する電線の電気的な接続を安定させることができる。
【００４３】
また、接続ユニット15は、導電バー12にプラグイン接続できるとともに、接続バー42を用いて分散型電源用ブレーカ14のバー接続部43にもプラグイン接続できるため、組立性を向上させることができる。
【００４４】
次に、図４ないし図８に第２の実施形態を示す。なお、第１の実施形態と同じ構成については、同じ符号を用い、その説明を省略する。
【００４５】
第２の実施形態の分散型電源用ブレーカ14は、第１の実施形態と同じ構造であるが、第２の実施形態の接続ユニット15は、第１の実施形態の構造と異なっている。
【００４６】
図４に示すように、接続ユニット15は、接続ユニット本体60および中継端子台61を備えている。
【００４７】
そして、図４ないし図６に示すように、接続ユニット本体60は、ケース63、このケース63に配置された３つの端子64および３つの端子65、３つの端子65にそれぞれ電気的に接続されてケース63から導出された３本の電線66を備えている。
【００４８】
ケース63は、絶縁性を有する合成樹脂製で、分岐ブレーカ13と同じ幅寸法かつ略同じ外形状であって、前面から見て横幅が狭く縦方向に細長い形状に形成されている。ケース63の前面側から見て長手方向の一端側には導電バー12にプラグイン接続されるバー接続部67が形成され、他端側には電線が接続される電線接続部68が形成されている。ケース63の長手方向の両端には、取付板16に取り付けるための取付部69が設けられている。
【００４９】
バー接続部67は、各導電バー12が差し込まれる３つの溝70を有している。３つの溝70には、導電バー12と電気的に接続される刃受形状の端子64がそれぞれ配置されている。
【００５０】
電線接続部68には、３つの端子配置部71が縦方向に階段状に形成されている。各端子配置部71に板状の端子65がそれぞれ配置され、各端子65にねじ72で電線66が固定されて電気的に接続されている。電線接続部68は、ケース63に着脱可能に取り付けられるカバー73によって覆われる。
【００５１】
各端子64と各端子65とはケース63内でそれぞれ電気的に接続されている。
【００５２】
電線66は、両端に圧着端子74を有し、一端の圧着端子74がねじ72によって端子65に固定されている。
【００５３】
また、図４および図７に示すように、中継端子台61は、中継端子台本体76、および３つの端子77を備えている。
【００５４】
中継端子台本体76は、絶縁性を有する合成樹脂製で、端子77を配置する３つの端子配置部78が壁部79によって仕切られた状態に形成されている。中継端子台本体76の壁部79の先端には覆うカバー80が着脱可能に取り付けられている。
【００５５】
端子77は、端子配置部78に配置され、ねじ81によって中継端子台本体76に固定されている。各端子77の端部には、分散型電源用ブレーカ14のバー接続部32にプラグイン接続される差込み部82が形成されている。差込み部82は、中継端子台本体76の外側に突出され、分散型電源用ブレーカ14の各溝35の位置に対応して異なる高さとなるように形成され、各溝35内の端子に電気的に接続可能としている。端子77には、電線66の他端の圧着端子74がねじ81で固定されて電気的に接続されている。
【００５６】
そして、接続ユニット15は、接続ユニット本体60と中継端子台61とが電線66で接続された状態に予め組み立てられている。
【００５７】
接続ユニット本体60のバー接続部67が導電バー12にプラグイン接続され、接続ユニット本体60の取付部69が取付板16に取り付けられる。中継端子台61の端子77が分散型電源用ブレーカ14のバー接続部32にプラグイン接続される。これにより、接続ユニット15によって、導電バー12と分散型電源用ブレーカ14とが電気的に接続される。
【００５８】
このように、接続ユニット15は、導電バー12にプラグイン接続できるとともに、中継端子台61を用いて分散型電源用ブレーカ14のバー接続部43にもプラグイン接続できるため、組立性を向上させることができる。さらに、接続ユニット本体60と中継端子台61との間を電線66で接続することにより、分散型電源用ブレーカ14の位置の違い等にも柔軟に対応することができる。
【００５９】
また、図４および図８に示すように、第２の実施形態では、分散型電源からの電線が太いために、分散型電源用ブレーカ14の電線接続部に直接差込み接続できない場合に、その分散型電源からの電線を分散型電源用ブレーカ14に電気的に接続するための分散型電源用端子台90を用いている。
【００６０】
この分散型電源用端子台90は、分散型電源用端子台本体91、および３つのねじ式端子92を備えている。
【００６１】
分散型電源用端子台本体91は、絶縁性を有する合成樹脂製で、２つの分散型電源用ブレーカ14a，14bを並べた幅方向の寸法よりも広く形成されている。分散型電源用端子台本体91には、ねじ式端子92を配置する３つの端子配置部93が壁部94によって仕切られた状態に形成されている。３つの端子配置部93に配置する３つのねじ式端子92が並ぶ方向のピッチは、分散型電源用ブレーカ14の電線接続部33の差込孔36が並ぶ方向のピッチよりも広く形成されている。分散型電源用端子台本体91の側面には取付板17にねじ止めするための複数の取付部95が突設されている。
【００６２】
ねじ式端子92は、端子配置部93に配置される端子96、および端子96を分散型電源用端子台本体91に固定するとともに分散型電源からの電線を端子96に固定するねじ97を有している。端子96の端部には、分散型電源用ブレーカ14の電線接続部33に差込み接続される差込み部98が形成されている。差込み部98は、分散型電源用端子台本体91の外側に突出され、分散型電源用ブレーカ14の各差込孔36に差し込み可能とする位置に折曲形成されており、各差込孔36内の鎖錠端子に電気的に接続可能としている。
【００６３】
そして、分散型電源用端子台90は、端子96の差込み部98が分散型電源用ブレーカ14の電線接続部33に差し込まれて電線接続部33内の端子に電気的に接続され、取付部95が取付板17にねじ止め固定されている。
【００６４】
分散型電源からの電線を分電盤本体20の下側の開口部24から分電盤本体20内に引き込み、その電線の先端に装着された圧着端子を分散型電源用端子台90の各端子96に各ねじ97で固定して電気的に接続する。
【００６５】
このとき、３つのねじ式端子92が並ぶ方向のピッチが、分散型電源用ブレーカ14の差込孔36が並ぶ方向のピッチよりも広いため、分散型電源からの電線が太い場合であっても、３本の電線を並列に接続することができる。
【００６６】
このように、分散型電源用端子台90を用いることにより、分散型電源からの電線が太い場合であっても、その電線を分散型電源用ブレーカ14に電気的に接続することができる。
【００６７】
なお、分散型電源用端子台90は、第１の実施形態の分電盤10にも適用することができる。
【００６８】
次に、図９に第３の実施形態を示す。なお、第１の実施形態と同じ構成については、同じ符号を用い、その説明を省略する。
【００６９】
分電盤本体20の右端に、各分岐ブレーカ13等に接続される負荷の電力使用量を計測するための計測ユニット100が配置されている。計測ユニット100では、各分岐ブレーカ13に接続された負荷に流れる電流を電流センサで検出してその信号を取り込み、負荷毎の電力使用量や住宅全体の電気使用量を演算し、電力管理を行う例えばホームゲートウェイ等の機器に計測結果の信号を送信する。これら信号の伝送には信号線101が用いられている。
【００７０】
分電盤本体20の周辺部にリブ状の隔離壁102が突設され、この隔離壁102の内側に信号線101が配線されている。
【００７１】
そして、隔離壁102により、信号線101を分電盤本体20内で容易に配線できるとともに、信号線101を負荷や分散型電源からの電線である電圧線と分離でき、ノイズの影響を低減することができる。また、隔離壁102により、分電盤本体20を補強でき、分電盤本体20の歪み等の発生を低減できる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７３】
10    分電盤
12    導電バー
13    分岐ブレーカ
14    分散型電源用ブレーカ
15    接続ユニット
32    第１の接続部としてのバー接続部
33    第２の接続部としての電線接続部
41    端子
42    接続バー
60    接続ユニット本体
61    中継端子台
64    端子
66    電線
90    分散型電源用端子台
92    ねじ式端子
【図１】
2015186357.tif 000003
【図２】
2015186357.tif 000004
【図３】
2015186357.tif 000005
【図４】
2015186357.tif 000006
【図５】
2015186357.tif 000007
【図６】
2015186357.tif 000008
【図７】
2015186357.tif 000009
【図８】
2015186357.tif 000010
【図９】
2015186357.tif 000011